(57)【要約】【課題】  金融市場取引で時系列の取引記録であるトラックレコードを見ても一つ一つの損益しかわからず、どこを改善すべきか見えてこない。例えば損益曲線グラフのように総合成績を表すには有用な指標があるが、結果に至る要因は何かといった分析・評価には向かない。  また、適切な取引機会を算出すべく作成されたアルゴリズムの良否を評価する場合、既存の指標は結果が市場価格の動きと結びつかないので個別の取引の分析・評価には適さず、さりとて端的な点数による総合評価にも馴染まない。【解決手段】  取引結果の個々の開始時点に着目、取引開始後の実際の値動きを時系列で追跡、描画するという観点から、取引結果の分析に適したチャートで表現。  さらに、このチャート上で個々の取引を同一の基準で採点し集積することで、取引結果を客観的な基準に則った点数で評価。【選択図】図１
2017182758.tif 000002
【特許請求の範囲】
【請求項１】
金融市場取引における取引結果，もしくは取引アルゴリズムにより導かれる取引結果を分析するために、
取引結果もしくは取引アルゴリズムを入力する手段、
予め過去の市場価格変動実績データを受信し、記録しておく手段、
市場価格変動実績データを読み出し、取引アルゴリズムと突き合わせて取引開始時点を特定する手段、
市場価格変動実績データを読み出し、個々の取引開始時点を原点として単位時間毎の価格変動をチャートとして描画する手段、及び
チャートを出力する手段、
を有するチャート作成装置。
【請求項２】
前項のチャートを用いて金融市場取引における取引結果、もしくは取引アルゴリズムにより導かれる取引結果を採点するために、
予め採点ルールを記録しておく手段、
採点ルールから、チャートの形状に基づき適用すべき採点ルールを選択する手段、
採点ルールを適用し、取引結果とチャートから採点結果を算出する手段、及び
採点結果を出力する手段、
を有する取引結果採点装置。
【請求項３】
金融市場取引における取引結果、もしくは取引アルゴリズムにより導かれる取引結果を分析、並びに採点するために、
取引結果もしくは取引アルゴリズムを入力するステップ、
予め過去の市場価格変動実績データを受信し、記録しておくステップ、
市場価格変動実績データを読み出し、取引アルゴリズムと突き合わせて取引開始時点を特定するステップ、
市場価格変動実績データを読み出し、個々の取引開始時点を原点として単位時間毎の価格変動をチャートとして描画するステップ、
チャートを出力するステップ、
予め採点ルールを記録しておくステップ、
採点ルールから、チャートの形状に基づき適用すべき採点ルールを選択するステップ、
採点ルールを適用し、取引結果とチャートから採点結果を算出するステップ、及び
採点結果を出力するステップ、
を有するチャート作成並びに取引結果採点方法。
【請求項４】
コンピュータに、
金融市場取引における取引結果、もしくは取引アルゴリズムにより導かれる取引結果を分析、並びに採点するために、
取引結果もしくは取引アルゴリズムを入力するステップ、
予め過去の市場価格変動実績データを受信し、記録しておくステップ、
市場価格変動実績データを読み出し、取引アルゴリズムと突き合わせて取引開始時点を特定するステップ、
市場価格変動実績データを読み出し、個々の取引開始時点を原点として単位時間毎の価格変動をチャートとして描画するステップ、
チャートを出力するステップ、
予め採点ルールを記録しておくステップ、
採点ルールから、チャートの形状に基づき適用すべき採点ルールを選択するステップ、
採点ルールを適用し、取引結果とチャートから採点結果を算出するステップ、及び
採点結果を出力するステップ、
を実行させるためのプログラム。
【請求項５】
金融市場取引における取引結果、もしくは取引アルゴリズムにより導かれる取引結果を分析、並びに採点するために、
取引結果もしくは取引アルゴリズムを入力する手段、
予め過去の市場価格変動実績データを受信し、記録しておく手段、
市場価格変動実績データを読み出し、取引アルゴリズムと突き合わせて取引開始時点を特定する手段、
市場価格変動実績データを読み出し、個々の取引開始時点を原点として単位時間毎の価格変動をチャートとして描画する手段、
チャートを出力する手段、
予め採点ルールを記録しておく手段、
採点ルールから、チャートの形状に基づき適用すべき採点ルールを選択する手段、
採点ルールを適用し、取引結果とチャートから採点結果を算出する手段、及び
採点結果を出力する手段、
を有するチャート作成並びに取引結果採点システム。
【発明の詳細な説明】
【技術分野】
【０００１】  この発明は、金融市場取引における取引結果並びに適切な取引機会を算出すべく作成されたアルゴリズムにより導かれる取引結果を、分析に適したチャートとして表現する技術、及び客観的な基準を用いて採点する技術に関する。
【背景技術】
【０００２】  金融市場取引における取引結果を時系列で記録したものをトラックレコードと呼ぶ。一般的にトラックレコードには、エントリー（取引開始）日付及び時刻、取引区分（売りもしくは買い）、取引量、取引銘柄、エントリー価格、エグジット（取引終了）日付及び時刻、エグジット価格、取引手数料、損益といった項目が記載される。トラックレコードの分析・評価方法としては、総損益額、損益曲線グラフ（総利益から総損失を差し引いた値を時系列でグラフ化したもの）、勝率、プロフィットファクター、（総利益を総損失で割った率）ドローダウン（総資産の一時的な減少率）、といった指標が従来から使われている。また、適切な取引機会を算出すべく作成されたアルゴリズム（取引アルゴリズム）を用いて取引を行ういわゆるアルゴリズムトレードの場合、実際の市場で取引を行わなくとも過去の市場価格データに基づくシミュレーションを行って取引アルゴリズムの良否の判断が行われており、このようなシミュレーションをバックテストと呼ぶ。バックテスト結果の分析・評価にも、一般にトラックレコードと同じ指標が用いられる。
【先行技術文献】
【非特許文献】
【０００３】
【非特許文献１】今井雅人，システムトレード研究チーム．ＦＸ＆日経２２５先物システムトレード勝利の方程式，２００８．
【非特許文献２】Ｊａｃｋ  Ｄ．Ｓｃｈｗａｇｅｒ．Ｇｅｔｔｉｎｇ  Ｓｔａｒｔｅｄ  ｉｎ  Ｔｅｃｈｎｉｃａｌ  Ａｎａｌｙｓｉｓ，２００８．
【非特許文献３】日本テクニカル・アナリスト協会（編）．日本罫線史，１９７８
【非特許文献４】八千代証券株式会社，Ｊ．Ｅ．グランビル．グランビルの投資戦略―株価変動を最大に活用する技法，１９７８．
【発明の概要】
【発明が解決しようとする課題】
【０００４】  金融市場で取引を行う者が日々の取引結果を顧みて反省材料にしたいと考えた時に、トラックレコードを見返しても一つ一つの損益しかわからず、どこを改善すべきかがなかなか見えてこない。非特許文献２などで取り上げられている損益曲線グラフは確かに全体的な傾向を知るには有用だが、結果に結びついた要因は何かといった分析には向かない。【０００５】  また、実際の取引結果や取引アルゴリズムの良否を評価する場合に一般的に用いられる指標は、非特許文献３、非特許文献４などで取り上げられているが、結果と実際の市場価格の動きとが結びつけられていないため、個々の売買について分析、評価するには適していない。さらに言えば、指標相互の関連が薄く重要性の基準もないため、これらを総合して端的な点数評価を試みるのは難しい。【０００６】  これに対し本発明は、個々の取引結果とその後の値動きをわかりやすくチャートとして表現し、客観的な基準に基づき端的に採点評価する技術を提供する。
【課題を解決するための手段】
【０００７】  本発明は、取引アルゴリズムを入力する手段、予め過去の市場価格変動実績データを受信し、記録しておく手段、過去の市場価格変動実績データを読み出し、取引アルゴリズムと突き合わせて取引開始時点を特定する手段、過去の市場価格変動実績データを読み出し、個々の取引開始時点を原点として単位時間毎の価格変動をチャートとして描画する手段、及びチャートを出力する手段、として機能させるためのチャート作成プログラムを提供する。【０００８】  また本発明は、予め採点ルールを記録しておく手段、記録された採点ルールから、チャートの形状に基づき適用すべき採点ルールを選択する手段、採点ルールを適用し、取引結果とチャートから採点結果を算出する手段、及び採点結果を出力する手段、として機能させるための取引結果採点プログラムを提供する。
【発明の効果】
【０００９】  本発明によれば、個々の取引が開始から終了までとその後の値動きを含めて時系列でチャートに描画され、取引開始と終了のタイミングは適切だったか、損失を被った場合に損失を確定して取引を終了するタイミングは適切だったかといった要素が一目でわかる。個々の取引傾向を把握し、成績を改善するためには具体的にどうすべきかを検討できるようになる。【００１０】  そして客観的な基準に基づく採点は、取引結果並びに取引アルゴリズムの優劣を論じる際の物差しとなる。
【図面の簡単な説明】
【００１１】
【図１】トラックレコードから作成したチャートを例示する図。
【図２】取引アルゴリズムから作成したチャートを例示する図。
【図３】一実施形態に係るチャート作成システムの機能構成を示す図。
【図４】一実施形態に係る取引結果採点システムの機能構成を示す図。
【図５】サーバー装置１０のハードウェア構成を例示する図。
【発明を実施するための形態】
【００１２】１．構成
図３は、一実施形態に係るチャート作成システム１の機能構成を示す図である。チャート作成システム１は、サーバー装置１０と、クライアント装置３０と、ネットワーク４０とを有する。チャート作成システム１は、クライアント装置３０からトラックレコードもしくは取引アルゴリズムを入力し、サーバー装置１０で取引結果を分析するためのチャートを描画して出力し、クライアント装置上で表示するシステムである。
【００１４】  チャート作成システム１におけるサーバー装置１０は、チャート作成装置として機能する装置である。サーバー装置１０は、入力手段１１と、市場変動価格実績データ受信及び記録手段１２と、取引時点特定手段１３と、チャート描画手段１４と、チャート出力手段１５とを有する。
【００１５】  図４は、一実施形態に係る取引結果採点装置システム１の機能構成を示す図である。取引結果採点装置システム１は、サーバー装置１０と、クライアント装置３０と、ネットワーク４０とを有する。取引結果採点装置システム１は、クライアント装置３０から入力されたトラックレコードもしくは取引アルゴリズムによって作成されたチャートと取引結果をチャート作成装置から受け取り、サーバー装置１０で取引結果を採点して出力し、クライアント装置上で表示するシステムである。
【００１６】  取引結果採点装置システム１におけるサーバー装置１０は、取引結果採点装置として機能する装置である。サーバー装置１０は、採点ルール記録手段１６と、採点ルール選択手段１７と、採点結果算出手段１８と、採点結果出力手段１９と、チャート作成装置２０とを有する。
【００１７】  クライアント装置３０は、サーバー装置１０から受け取ったチャートもしくは採点結果を表示する装置である。ネットワーク４０は、サーバー装置１０とクライアント装置３０との間のデータ入出力を中継するネットワークである。ネットワーク３０は、インターネットのようなオープンなネットワークでもよいし、チャート作成システム１もしくは取引結果採点装置システム１固有のクローズドなネットワークでもよい。
【００１８】  図５は、サーバー装置１０のハードウェア構成を例示する図である。サーバー装置１０は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、ストレージ１０４と、通史人ターフェース１０５と、ディスプレイ１０６とを有するコンピュータ装置である。ＣＰＵ１０１は、サーバー装置１０の各部を制御する中央演算処理装置（プロセッサ）である。ＲＯＭ１０２は、プログラム及びデータを記憶する不揮発性の記憶装置である。ＲＡＭ１０３は、ＣＰＵ１０１がプログラムを実行する際の作業領域として機能する揮発性の主記憶装置である。ストレージ１０４は、プログラム及びデータを記憶する不揮発性の補助記憶装置である。通信インターフェース１０５は、ネットワーク４０を介した通信を行うためインターフェースであり、この例では特にクライアント装置３０と通信を行うためのインターフェースである。ディスプレイ１０６は、ＣＰＵ１０１の制御下で、プログラムの実行結果などの情報を表示する装置である。
【００１９】  この例で、ストレージ１０４（またはＲＡＭ１０３）に記憶されているチャート作成プログラムもしくは取引結果採点プログラムをＣＰＵ１０１が実行することにより、図３もしくは図４に示される機能が実装される。チャート作成プログラムもしくは取引結果採点プログラムを実行しているＣＰＵ１０１は、取引時点特定手段１３、チャート描画手段１４、採点ルール選択手段１７、採点結果算出手段１８の一例である。通信インターフェース１０５は入力手段１１、チャート出力手段１５、採点結果出力手段１９の一例である。なお、クライアント装置４０のハードウェア構成についての詳細な説明は省くが、ＣＰＵ、ＲＯＭ、ＲＡＭ、ストレージ、通信インターフェース及びディスプレイを有するコンピュータ装置である。
【００２０】２．動作
次に、サーバー装置１０の動作を説明する。チャート表示システム１では、サーバー装置１０の市場価格変動実績データ受信及び記録手段により、評価対象とする金融市場で取り扱われる各銘柄ないし通貨ペアなどの市場価格の変動実績を四本値の形式で日々作成、保存しておく。四本値とは時系列で変動する価格データを一定間隔で区切り、その間隔内で最初に付いた価格（始値）、最高価格（高値）、最低価格（安値）、最後に付いた価格（終値）の４つの価格を示す。これらを日付時刻と共に保存したデータを市場価格変動実績データと呼ぶ。その種別として、例えば１分間隔のデータは１分足、一日間隔のデータは日足という具合に呼ぶ。評価対象期間のデータがなければ本発明のチャートは描画できないため、できるだけ長期間途切れなく正確な市場価格変動実績データを作成、保存する必要がある。
【００２１】  市場価格変動実績データが揃っている前提で、サーバー装置１０でトラックレコードをチャート化する方法について説明する。図１はトラックレコードから作成したチャートの例示である。まず、サーバー装置１０の入力手段に評価対象となるトラックレコードを読み込ませる。トラックレコード上で一つの取引を開始（エントリー）した状態を「ポジションを持つ」と呼び、全てのポジションで取引を終了（エグジット）するまでの最長期間を求める。トラックレコード上で持ったままのポジションがある場合、終了しているポジションの中から最長期間を求め、この期間をＸ軸の長さとする。
【００２２】  次に、トラックレコードに複数の銘柄ないし通貨ペアが含まれる場合、銘柄ないし通貨ペアごとに分類する。エントリーが売りのポジションと買いのポジションが含まれる場合は、売りと買いとに分類する。Ｘ軸を時間、Ｙ軸を価格変動率に取ったチャートを想定し、エントリー時点を原点に設定する（図１の１）。
【００２３】  次にチャート描画手段が一つ一つのポジションのエントリー時刻を基準に、同一銘柄ないし通貨ペアの市場価格変動実績データ１分足と突き合わせ、エントリー時刻と同時刻の１分足の終値を拾い出す。買いエントリーの場合は価格上昇が利益となるため（１分後の終値−エントリー価格）÷エントリー価格、売りエントリーの場合は価格下落が利益となるため（エントリー価格−１分後の終値）÷エントリー価格として価格変動率を算出し、エントリー１分後のＹ座標とする。以下同様に２分後、３分後、…とＹ座標を算出し、１分間隔でチャート上に点をプロットしてゆく。設定したＸ軸の長さまでこれを繰り返す。それからプロットした点と点を線分で結ぶ。視覚的にわかりやすくするため、Ｘ軸より上方向（利益）は緑色、下方向（損失）は赤色の線分を用いる。エントリー時の注文数量にばらつきがある場合、注文数量に応じて最小付近（図１の２）、最大付近（図１の４）、その中間（図１の３）という具合に線分の太さを３段階程度に描き分けるとよい。結んだ線分上にエグジットした時刻がある場合、その時刻をＸ座標、エグジットした金額をエントリーからの価格変動率に直したものをＹ座標として、青色の点をプロットする（図１の５）。
【００２４】  一つのポジションについてチャートを描き終わったら原点に戻り、トラックレコードに含まれるポジションの数だけこれを繰り返す。トラックレコードに売りと買いの両方のポジションが含まれる場合は、それぞれについて別個のチャートを作成する。トラックレコードに複数の銘柄ないし通貨ペアが含まれる場合は、それぞれについて別個のチャートを作成する。最後にチャート出力手段が作成したチャートを出力する。
【００２５】  次に、サーバー装置１０で取引アルゴリズムをチャート化する方法について説明する。図２は取引アルゴリズムから作成したチャートの例示である。まず、サーバー装置１０の入力手段に評価対象となるトラックレコードを読み込ませるとともに、評価対象期間と対象銘柄の入力を求める。評価対象期間をＸ軸の長さとする。
【００２６】  次に取引時点決定手段が取引アルゴリズムを対象銘柄の市場価格変動実績データと過去から順に突き合わせ、取引アルゴリズムに則って過去にエントリーが発生した時点とエントリー価格を特定し、評価対象期間内に発生した全てのエントリーのリストを作成する。その結果、売りと買いのそれぞれのエントリーが発生していた場合は、エントリーリスト全体を売りのポジションと買いのポジションに分類する。Ｘ軸を時間、Ｙ軸を価格変動率に取ったチャートを想定し、エントリー時点を原点に設定する（図２の６）。
【００２７】  次にチャート描画手段が一つ一つのエントリー時刻を基準に、同一銘柄ないし通貨ペアの市場価格変動実績データ１分足と突き合わせ、エントリー時刻と同時刻の１分足の終値を拾い出す。買いエントリーの場合は価格上昇が利益となるため（１分後の終値−エントリー価格）÷エントリー価格、売りエントリーの場合は価格下落が利益となるため（エントリー価格−１分後の終値）÷エントリー価格として価格変動率を算出し、エントリー１分後のＹ座標とする。以下同様に２分後、３分後、…とＹ座標を算出し、１分間隔でチャート上に点をプロットしてゆく。設定したＸ軸の長さまでこれを繰り返す。それからプロットした点と点を線分で結ぶ。視覚的にわかりやすくするため、Ｘ軸より上方向（利益）は緑色、下方向（損失）は赤色の線分を用いる。
【００２８】  一つのエントリーについてチャートを描き終わったら原点に戻り、リストに含まれるエントリーの数だけこれを繰り返す。リストに売りと買いの両方のエントリーが含まれる場合は、それぞれについて別個のチャートを作成する。最後にチャート出力手段が作成したチャートを出力する。
【００２９】  できあがったチャートの簡単な見方を例示する。例えばエントリー直後は損失方向にチャートが動いた後に利益方向へ反転しているなら、エントリーのタイミングが早すぎる可能性が高い。全体にこのような傾向が見られるならば、エントリーのタイミングをもう少し遅らせると良い事がわかる。また、エグジットを示す点の後で利益方向に動いているなら、エグジットのタイミングが早すぎる可能性が高い。全体にこのような傾向が見られるならば、エグジットのタイミングをもう少し遅らせると良い事がわかる。これらは取引結果を反省する際にも、取引アルゴリズムを修正する際にも同様の考え方をすることができる。
【００３０】  次に、サーバー装置１０でチャート化した取引結果を採点する方法について説明する。金融商品の売買で差益を上げるのが金融市場取引の目的である以上、高い収益性が優れた取引結果の要件となるのは当然だが、それだけでは十分とは言えない。なぜなら、結果的に高収益を上げていても、その過程で大きな損失を被っていたり、取引の機会が短期間に集中していたりするのであれば、長期にわたって安定的な収益を上げる手法とは言えない可能性があるからである。この点については、非特許文献１の中でも指摘している。このためにいくつかの異なる側面から取引結果を評価する必要があり、サーバー装置１０の採点ルール記録手段には予め客観的な基準に則って作成された複数の採点ルールが記録されている。このうちいくつかを例示する。
【００３１】  チャートの描く線分とＸ軸、及びエグジット時点からＸ軸に下した垂線（ポジションが未終了の場合はチャートの描く線分からＸ軸の右端へ下した垂線）で囲まれた部分を積分して得点を算出するルールがある。このルールではＹ軸にプラス方向の面積が大きいと利益大として得点が高く、Ｙ軸にマイナス方向の面積が大きいと損失大として得点が低くなる。これは利幅を重視した採点ルールであり、多くの場合は正しく機能するが、例えばチャートが原点から急上昇した後に急下降して以降ほとんど０に近いわずかな損失で推移したケースと、チャート前半は０に近いわずかな損失で推移したものの後半上昇に転じそのままＸ軸の終わりまで上昇を続けたケースを考えると、後者の方が明らかに優れた取引であるとみられ、仮にチャートの描く面積が同じであったとしても同一の得点を与えるのは問題がある。
【００３２】  次に、損益幅には関係なくチャートが利益方向に動けばプラス１点、損失方向に動けばマイナス１点として得点を数えるルールがある。これは勝率を重視した採点ルールである。勝率が高さはエントリーのタイミングの優秀性を表しており、多くの場合優れた取引結果につながる。しかし、先ほど挙げたようなチャート前半は０に近いわずかな損失で推移したものの後半上昇に転じそのままＸ軸の終わりまで上昇を続けたケースでは、１００点満点で５０点前後の得点にしかならない。実際には優れた取引として評価すべき結果なので、これは不合理な採点ということになる。
【００３３】  次に、散らばり得点のルールがある。このルールはチャートと直接関係せず、取引と取引の間の期間を算出して相対的な期間が離れていればいるほど高得点を与える考え方である。これは、特に長期間にわたる取引結果の評価においてある一定の時期に取引が集中している場合は他のルールでの得点が高くても統計上信頼性に欠け、優れた取引結果とは言えないとの観点から生まれたルールである。
【００３４】  このように、チャートの形状によって採点ルールがうまく機能しない場合や、統計的にみて有意と言えない採点結果があり得るため、少なくとも勝率、損益、時系列の取引分布状況という３つの側面から見た複数のルールの組み合わせにより、採点の精度を高める仕組みをとっている。
【００３５】  取引結果採点システム１を構成するサーバー装置１０の採点ルール記憶手段に以上例示したような採点ルールが記録されている状況において、評価対象となるトラックレコードもしくは取引アルゴリズムからチャート作成システム１によって作成したチャート及び取引結果を、採点ルール選択手段に引き渡す。採点ルール選択手段はチャートの形状を認識し、採点ルールと突き合わせて適切なルールを選択する。
【００３６】  次に採点ルール算出手段がルールを順次適用して採点結果を算出する。最後に採点ルール出力手段が採点結果を１００点満点などのわかりやすい形式で出力する。
【００３７】３．変形例
本発明は上述の実施形態に限定される者ではなく、種々の変更形態が可能である。以下に変形例をいくつか説明する。これらの変形例のうち複数が組み合わせて用いられてもよい。
【００３８】  チャート表示システム１の市場変動価格実績データ受信及び記録手段は、システム外部から正確なデータを常時入手可能な他の手段があれば置き換えることが可能であり、サーバー装置１０内部に記録しなくともよい。
【００３９】  チャート表示システム１及び取引結果採点システム１における機能の分担は、図３及び図４で説明したものに限定されない。図３及び図４でサーバー装置１０の機能として説明したものの一部を、クライアント装置３０が有していてもよい。また、サーバー装置１０のハードウェア構成は図５で説明したものに限定されない。要求される機能を実現できるものであれば、サーバー装置１０はどのようなハードウェア構成を有していてもよい。
【００４０】  実施形態においてＣＰＵ１０１によって実行されるプログラムは、磁気記録媒体（磁気テープ、磁気ディスク（ＨＤＤ、ＦＤ（Ｆｌｅｘｉｂｉｅ  Ｄｉｓｋ）など）、光記録媒体（光ディスク（ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）など）、光磁気記憶媒体、半導体メモリ（フラッシュＲＯＭなど）のコンピュータ読み取り可能な記録媒体に記憶した状態で提供されてもよい。また、このプログラムは、インターネットのようなネットワーク経由でダウンロードされてもよい。
【符号の説明】
【００４１】１…原点（トラックレコードの各取引開始時点）、２…注文数量が最も少ない区分の線分、３…注文数量が中程度の線分、４…注文数量が最も多い区分の線分、５…各取引終了時点を示す点、６…原点（取引アルゴリズムに則って過去にエントリーが発生した時点）、１０…サーバー装置、１１…入力手段、１２…市場変動価格実績データ受信及び記録手段、１３…取引時点特定手段、１４…チャート描画手段、１５…チャート出力手段、１６…採点ルール記録手段、１７…採点ルール選択手段、１８…採点結果算出手段、１９…採点結果出力手段、２０…チャート作成装置、３０…クライアント装置、４０…ネットワーク、１０１…ＣＰＵ、１０２…ＲＯＭ、１０３…ＲＡＭ、１０４…ストレージ、１０５…通信インターフェース、１０６…ディスプレイ
【図１】
2017182758.tif 000003
【図２】
2017182758.tif 000004
【図３】
2017182758.tif 000005
【図４】
2017182758.tif 000006
【図５】
2017182758.tif 000007